(57)【要約】【課題】床下地材の上に作業性よく敷設できるとともに、床を均一に加熱することが可能な、床暖房用面状ヒータおよびその施工構造を提供する。【解決手段】発熱線を配設してなる可撓性を有する面状ヒータであって、該面状ヒータは、共通端部４から切欠き部３を介して延設される複数の短冊状の発熱体２から構成されるとともに、上記複数の短冊状発熱体２の裏面は、連接手段１により相互に連接される。好ましくは、上記複数の短冊状発熱体２の自由端の裏面が、その末端および中間部の複数の個所で横架、連接される。【選択図】図１
2004084979.tif 000002
【特許請求の範囲】
【請求項１】
発熱線を配設してなる可撓性を有する面状ヒータであって、該面状ヒータは、共通端部から切欠き部を介して延設される複数の短冊状の発熱体から構成されるとともに、上記複数の短冊状発熱体の裏面は、連接手段により相互に連接されていることを特徴とする床暖房用面状ヒータ。
【請求項２】
上記複数の短冊状発熱体の裏面は、その自由端および中間部の複数の個所で横架、連接されている請求項１に記載の床暖房用面状ヒータ。
【請求項３】
上記連接手段がアルミ粘着テープである請求項１に記載の床暖房用面状ヒータ。
【請求項４】
切欠き部を介して隣り合う複数の短冊状の発熱体から構成される床暖房用面状ヒータが、床下地材の上に敷設されるとともに上記短冊状発熱体の上面と略面一になるように小根太を上記切欠き部に介在、固定させ、上記小根太および短冊状発熱体と床仕上げ材との間には、上記小根太との接触面に接着剤浸透用の複数の開口部を穿設したアルミ均熱板が設けられたことを特徴とする床暖房用面状ヒータの施工構造。
【請求項５】
上記アルミ均熱板は、上記小根太に沿ってその両側に延出する延出部を有するとともに、上記延出部が上記短冊状発熱体に重なるようにされた請求項４に記載の床暖房用面状ヒータの施工構造。
【請求項６】
上記アルミ均熱板が、上記短冊状発熱体と小根太との上面全体に重なるようにシート状とされた請求項４に記載の床暖房用面状ヒータの施工構造。
【発明の詳細な説明】
【０００１】
【発明の属する技術分野】
本発明は、床下に配設して、床面を暖める床暖房装置に関する。さらに詳しくは、小根太を介在、固定するための切欠き部を有する複数の短冊状の発熱体から構成された、床暖房用面状ヒータおよびその施工構造に関する。
【０００２】
【従来の技術】
従来、通電により発熱する金属導体を絶縁樹脂で被覆し、複数の短冊状の発熱体に配置してなる床暖房用面状ヒータが知られている。（例えば、特許文献１、特許文献２、特許文献３参照）
【０００３】
【特許文献１】
特開平６−１３７５７０号公報（第２−３頁、第５−１０図）
【特許文献２】
特開２００１−１１６２７４号公報（第３−５頁、第２図、第４図）
【特許文献３】
特開２００１−３４３１３６号公報（第２−４頁、第１図、第７図）
【０００４】
【発明が解決しようとする課題】
上記従来技術においては、通常、複数の短冊状の発熱体の一端は共通端部とされ、この共通端部から、小根太を介在、固定するための切欠き部を介して、複数の短冊状発熱体が延設されている。しかしながら、他端は自由端であるため、短冊どうしの間が拡がったり、重なり合い、切欠き部のピッチが一定とならないという問題がある。すなわち、床仕上げ材を支承する小根太を、上記切欠き部の間に、ぴったりと介在、固定する作業が困難となり、現場での作業効率が劣ったものとなる。また、小根太は、通常、合板等の木質製品であるため、熱伝導率が悪く、温度ムラを生じ、床を均一に加熱することが困難という問題もある。そこで、本発明は、このような問題を解決して、床下地材の上に作業性よく敷設できるとともに、床を均一に加熱することが可能な、床暖房用面状ヒータおよびその施工構造を提供することをその課題とする。
【０００５】
【課題を解決するための手段】
本発明は、上記課題を解決するために考え出されたものであって、つぎのような技術的手段を講じている。すなわち、本願第一発明によれば、発熱線を配設してなる可撓性を有する面状ヒータであって、該面状ヒータは、共通端部から切欠き部を介して延設される複数の短冊状の発熱体から構成されるとともに、上記複数の短冊状発熱体の裏面は、連接手段により相互に連接されていることを特徴とする、床暖房用面状ヒータが提供される。このようにすることによって、上記切欠き部のピッチが一定となるため、床仕上げ材を支承するための小根太を上記切欠き部に介在、固定する作業を、現場で効率よく行なうことができる。
【０００６】
上記複数の短冊状発熱体の裏面は、その自由端および中間部の複数の個所で横架、連接されることが好ましい。このようにすることにより、複数枚の短冊状発熱体が形崩れせずにしっかりと連接手段で横架、連接されるため、切欠き部のピッチがさらに一定となり、小根太を上記切欠き部に、作業性よく、介在、固定することができる。
【０００７】
上記連接手段をアルミ粘着テープとすることが好ましい。このようにすることにより、複数本のアルミ粘着テープが均熱板としても作用するため、上記面状ヒータを熱効率よく発熱させることができる。
【０００８】
つぎに、本願第二発明によれば、切欠き部を介して隣り合う複数の短冊状の発熱体から構成される床暖房用面状ヒータが、床下地材の上に敷設されるとともに上記短冊状発熱体の上面と略面一になるように小根太を上記切欠き部に介在、固定させ、上記小根太および短冊状発熱体と、床仕上げ材との間には、上記小根太との接触面に接着剤浸透用の複数の開口部を穿設したアルミ均熱板が設けられたことを特徴とする床暖房用面状ヒータの施工構造が提供される。このようにすることにより、上記複数の開口部を通して接着剤が浸透するため、床仕上げ材と小根太とをしっかりと接着することができる。
【０００９】
上記アルミ均熱板は、上記小根太に沿ってその両側に延出する延出部を有するとともに、上記延出部が上記短冊状発熱体に重なるようにされている。このようにすることによって、短冊状発熱体からの熱を、アルミ均熱板を介して小根太上に伝えることができ、面状ヒータ全体を温度ムラなく、熱効率よく発熱させることができる。
【００１０】
上記アルミ均熱板は、面一にされた上記短冊状発熱体と小根太との上面全体に重なるようにシート状とされる。このようにすることによって、複数の短冊状発熱体からの熱が、１枚のアルミ均熱板全体に伝達され、優れた均熱効果を発揮することができる。
【００１１】
【発明の実施の形態】
以下、本発明の好ましい実施の形態について、図面を参照してより詳細に説明する。図１は、本願第一発明にかかる床暖房用面状ヒータを示す斜視図であり、図２は、図１のＡ−Ａ線に沿う側断面図である。図１、図２からよくわかるように、上記面状ヒータは、共通端部４から延設された４枚の短冊状の発熱体２から構成され、各短冊状発熱体２は、小根太５を介在、固定させる切欠き部３を介して隣り合っている。本実施形態においては、連接手段１としてアルミに粘着材をコーティングしたアルミ粘着テープを用い、コネクタＣからの通電によって発熱する４枚の短冊状発熱体２を横架して連接する。図２によく示されているように、各短冊状発熱体２は、コードヒータ２１を不燃性不織布２２の中に埋め込み、全体を耐熱性のある可撓性プラスチック２３で覆って構成されているため、折畳み可能とされる。また、上記面状ヒータは、既存の床との納まりがよいように、例えば、幅１１７２ｍｍ×縦１８００ｍｍのサイズのものを１単位とし、部屋の大きさに合わせて所要枚数を床下地材８の上に敷設する。
【００１２】
図１によく示されているように、短冊状発熱体２は、その裏面を、自由端および中間部２ケ所でアルミ粘着テープによって、横架、連接されている。このようにすることにより、４枚の短冊状発熱体２が、形崩れせずにしっかりと連接されるため、切欠き部３のピッチが一定となり、小根太５を作業性よく、介在、固定することができる。さらに、上記複数本のアルミ粘着テープが均熱板としても作用するため、上記面状ヒータを熱効率よく発熱させることができる。
【００１３】
つぎに、本願第二発明にかかる、床暖房用面状ヒータの施工構造について説明する。図３は、本願第一発明に記載の床暖房用面状ヒータを用いて上記施工構造を実施した形態を示す部分分解斜視図である。図４は、図３におけるＢ−Ｂ線に沿う断面であって床仕上げ材およびアルミ均熱板を短冊状発熱体に敷設する直前の状態を示す側断面図である。図３、図４からよくわかるように、共通端部４から延設された４本の短冊状発熱体２は、その裏面が、自由端および中間部２ケ所で連接手段１として用いたアルミ粘着テープで横架され、しっかりと連接されている。このように、バラけず、一定のピッチを有するようにされた切欠き部３（図１、図２参照）に、小根太５を介在、固定する。かくして、４枚の短冊状発熱体２は、小根太５の上面と略面一となるように配設され、さらに、上記小根太５の上面には、小根太５との接触面に接着剤浸透用の複数の開口部６０を穿設したアルミ均熱板６が設けられる。
【００１４】
図３、図４に示されたアルミ均熱板６には、上記小根太５に沿う長手方向両側に延出部６１が延設されており、短冊状発熱体２の上に重ねられている。このようにすることにより、短冊状発熱体２からの熱を、アルミ均熱板６を介して小根太５上に伝えることができ、面状ヒータ全体を、温度ムラなく、熱効率よく発熱させることができる。また、上記開口部６０は、床仕上げ材７と小根太５とを接着させるウレタン接着剤を浸透させるために設けられており、この開口部６０を介して床仕上げ材７と小根太５とは、ウレタン接着剤によってしっかりと接着される。
【００１５】
図３、図４には、上記小根太５に沿う長手方向両側に延出部６１を備えた均熱板６を３枚用いた形態が示されているが、これらを１枚のシートとし、上記短冊状発熱体２と小根太５との上面全体に重ねられる、シート状の形態としてもよい。このようにすることによって、４枚の短冊状発熱体２からの熱が、上記１枚のアルミ均熱板６全体に伝達され、優れた均熱効果を発揮することができる。図５に、１枚のシート状の形態のアルミ均熱板６を用い、既述の方法にしたがって施工し、床に納めた状態を側断面図により示す。
【００１６】
図５からよくわかるように、床暖房用面状ヒータは、根太１０の上に固定された床下地材８の上面に敷設されている。また、上記したように、面一とされた短冊状発熱体２および小根太５と床仕上げ材７との間にはアルミ均熱板６が設けられ、このアルミ均熱板６に穿設された開口部６０を通して浸透したウレタン接着剤によって、小根太５と床表面材７とは、しっかりと接着される。なお、根太１０と根太１０との間には、グラスウール、ポリエチレンフォーム等の断熱材９を埋め込み、面状ヒータの熱ロスがないように、断熱処理が施される。このように、本願第一発明にかかる床暖房用面状ヒータを用いて、省エネルギー的に、熱効率よく、床暖房を施工することができる。
【００１７】
【発明の効果】
以上述べたように、請求項１に記載の発明は、発熱線を配設してなる可撓性を有する面状ヒータであって、該面状ヒータは、共通端部４から切欠き部３を介して延設される複数の短冊状の発熱体２から構成されるとともに、上記複数の短冊状発熱体２の裏面は、連接手段１により相互に連接されていることを特徴とする床暖房用面状ヒータである。このようにすることによって、上記切欠き部３のピッチが一定となるため、床仕上げ材７を支承するための小根太５を上記切欠き部３に介在、固定する作業を、現場で効率よく行なうことができる。
【００１８】
請求項２に記載の発明は、上記複数の短冊状発熱体２の裏面は、その自由端および中間部の複数の個所で横架、連接される。このようにすることによって、請求項１に記載の発明の効果に加えて、複数枚の短冊状発熱体２が形崩れせずにしっかりと連接手段１で横架、連接されるため、切欠き部３のピッチがさらに一定となり、小根太５を上記切欠き部３に、作業性よく、介在、固定することができる。
【００１９】
請求項３に記載の発明は、上記連接手段１がアルミ粘着テープとされる。このようにすることによって、請求項１に記載の発明の効果に加えて、複数本のアルミ粘着テープが均熱板としても作用するため、上記面状ヒータを熱効率よく発熱させることができる。
【００２０】
請求項４に記載の発明は、切欠き部３を介して隣り合う複数の短冊状の発熱体２から構成される床暖房用面状ヒータが、床下地材８の上に敷設されるとともに上記短冊状発熱体２の上面と略面一になるように小根太５を上記切欠き部３に介在、固定させ、上記小根太５および短冊状発熱体２と、床仕上げ材７との間には、上記小根太５との接触面に接着剤浸透用の複数の開口部６０を穿設したアルミ均熱板６が設けられたことを特徴とする床暖房用面状ヒータの施工構造である。このようにすることにより、上記複数の開口部６０を通して接着剤が浸透するため、床仕上げ材７と小根太５とをしっかりと接着することができる。
【００２１】
請求項５に記載の発明は、上記アルミ均熱板６は、上記小根太５に沿ってその両側に延出する延出部６１を有するとともに、上記延出部６１が上記短冊状発熱体２に重なるようにされる。このようにすることによって、請求項４に記載の発明の効果に加えて、短冊状発熱体２からの熱を、アルミ均熱板６を介して小根太５に伝えることができ、面状ヒータ全体を温度ムラなく、熱効率よく発熱させることができる。
【００２２】
請求項６に記載の発明は、上記アルミ均熱板６が、上記短冊状発熱体２と小根太５との上面全体に重なるようにシート状とされる。このようにすることによって、請求項４に記載の発明の効果に加えて、複数の短冊状発熱体２からの熱が、１枚のアルミ均熱板６全体に伝達され、優れた均熱効果を発揮することができる。
【図面の簡単な説明】
【図１】本願第一発明にかかる床暖房用面状ヒータを示す斜視図である。
【図２】図１のＡ−Ａ線に沿う側断面図である。
【図３】本願第二発明にかかる床暖房用面状ヒータの施工構造を示す部分分解斜視図である。
【図４】図３のＢ−Ｂ線に沿う断面であって床仕上げ材およびアルミ均熱板を短冊状発熱体に敷設する直前の状態を示す側断面図である。
【図５】本願第一発明にかかる床暖房用面状ヒータを床下に施工した状態を示す側断面図である。
【符号の説明】
１　　　　　連接手段
２　　　　　短冊状発熱体
２１　　　　コードヒータ
２２　　　　不燃性不織布
２３　　　　難燃性可撓性プラスチック
３　　　　　切欠き部
４　　　　　共通端部
５　　　　　小根太
６　　　　　アルミ均熱板
６０　　　　開口部
６１　　　　延出部
７　　　　　床仕上げ材
８　　　　　床下地材
９　　　　　断熱材
１０　　　　根太
Ｃ　　　　　コネクタ
【図１】
2004084979.tif 000003
【図２】
2004084979.tif 000004
【図３】
2004084979.tif 000005
【図４】
2004084979.tif 000006
【図５】
2004084979.tif 000007